(57)【要約】【課題】画像記録部とトレイとの間に設けられた搬送路でシート部材が詰まった場合でも、シート部材を容易に除去することが可能であり、且つ、２つのトレイが上下二段に配置された構成において、用紙が上記搬送路を通過するときの搬送不良を防止可能な手段を提供すること。【解決手段】画像記録部２４と給紙カセット７８との間に下側ガイド部材９０が設けられている。下側ガイド部材９０は、後方ガイド板９２を有する。後方ガイド板９２の前方端は基軸２８によって軸支されている。後方ガイド板９２の下面には左右方向９に隔てられた一対の突起１０２と一対の凸部１３６が設けられており、給紙カセット７８の装着状態においてセカンドトレイ８１が前方位置にあるときは両端部の突起１０２で後方ガイド板９２が２点支持され、セカンドトレイ８１が後方位置にあるときは突起１０２及び凸部１３６で後方ガイド板９２が４点支持される。【選択図】図２
2011157155.tif 000002
【特許請求の範囲】
【請求項１】
装置本体の正面から該装置本体に対して挿抜可能に設けられ、画像が記録されるシート部材を保持する第１トレイ及び該第１トレイの上部で移動可能に構成されシート部材を保持する第２トレイを有するシート保持装置と、
上記シート保持装置の上側に設けられた画像記録部と、
上記装置本体の背面に開閉可能に設けられ、閉じられた状態で上記シート保持装置から上記画像記録部に至る湾曲状の湾曲搬送路を形成し、開けられた状態で上記湾曲搬送路を開放する背面カバーと、
上記シート保持装置と上記画像記録部との間に設けられ、上記画像記録部を通過したシート部材を上記湾曲搬送路へ案内する第１ガイド板を有するガイド部材と、
上記第１ガイド板の背面側の端部を回動自由端として上記第１ガイド板を回動自在に支持する回動軸と、
上記第２トレイが上記湾曲搬送路から離間した第１位置にあるときに、上記湾曲搬送路への案内が可能な第１回動姿勢となるように上記第１トレイの幅方向端部を支持点として上記第１ガイド板を支持する第１支持機構と、
上記第２トレイが上記湾曲搬送路に近接した第２位置にあるときに、上記第１回動姿勢となるように上記第１支持機構の支持点よりも内側にある上記第２トレイ上の支持点で上記第１ガイド板を支持する第２支持機構と、
を具備する画像記録装置。
【請求項２】
上記第１支持機構は、上記第１ガイド板の幅方向端部から下方へ突出された少なくとも一つの第１係合部と、上記第１トレイにおいて上記第１係合部に対応する位置に設けられ、上記第１係合部と係合して上記第１ガイド板を下側から支持する第１支持部と、により構成されており、
上記第２支持機構は、上記第１ガイド板の幅方向端部よりも内側から下方へ突出された少なくとも一つの第２係合部と、上記第２トレイにおいて上記第２係合部に対応する位置に設けられ、上記第２トレイが上記第２位置にあるときに上記第２係合部と係合して上記第１ガイド板を下側から支持する第２支持部と、により構成されている請求項１に記載の画像記録装置。
【請求項３】
上記第２トレイは、保持されたシート部材の端部に当接してシート部材を規定位置に位置決めするサイドガイドを有し、
上記第２支持部は、上記サイドガイドに設けられている請求項２に記載の画像記録装置。
【発明の詳細な説明】
【技術分野】
【０００１】
本発明は、シート部材の両面に画像を記録する画像記録装置に関し、特に、画像記録部を通過したシート部材をスイッチバックさせて再び画像記録部へ戻す搬送路を有する画像記録装置に関する。
【背景技術】
【０００２】
従来より、記録用紙（シート部材）の両面に画像を記録可能な画像記録装置が知られている。特許文献１及び特許文献２には、装置のコンパクト化を実現するために、シートトレイの上側に画像記録部が設けられ、シートトレイと画像記録部とが湾曲状の搬送路で接続された画像記録装置が開示されている。この種の画像記録装置では、両面画像記録を行う場合に、画像記録部を通過した記録用紙をスイッチバックさせて再びシートトレイに搬送し、その記録用紙を給送ローラで再び画像記録部に搬送する機構が採用されている（特許文献１及び２参照）。これにより、シートトレイから給紙するときに通る搬送路をスイッチバック後に案内される搬送経路として兼用できるため、装置の薄型化が実現される。
【０００３】
また、この種の画像記録装置として、２つのトレイが上下二段に構成された給紙カセット（シート保持装置）を有するものが公知である。この給紙カセットを備えた画像記録装置では、２つのトレイに種別の異なる記録用紙を保持することができ、任意に選択されたトレイからユーザが所望する種類の記録用紙を給紙・記録することができる。
【０００４】
また、オフィスなどに広く普及している大型で自立型の複写装置（コピー機）では、高さ寸法が制約されないため、給紙時に通る搬送路とは別に、画像記録部とシートトレイとの間にスイッチバック用の搬送路が設けられている。この複写装置では、画像記録部を通過した記録用紙は、スイッチバックされた後に上記スイッチバック用の搬送路を通って再び画像記録部へ搬送される。
【先行技術文献】
【特許文献】
【０００５】
【特許文献１】特開２００９−８３２３２号公報
【特許文献２】特開２００９−１４１２号公報
【発明の概要】
【発明が解決しようとする課題】
【０００６】
しかしながら、特許文献１及び２に記載の画像記録装置では、スイッチバック後の記録用紙が給送ローラによって搬送される際に、画像記録面に給送ローラが当接する。そのため、給紙ローラの接触によって画像記録面が汚れるおそれがある。また、画像記録面に付着した記録材（インクやトナー等）が給紙ローラに付着することもあり、この付着した記録材が給紙ローラによって給紙される次の記録用紙に移り、記録用紙を汚すおそれもある。一方、上述した大型の複写装置で採用されているように、給紙時の搬送路とは別の搬送路を設けると上記問題は解決できる。しかしながら、装置の薄型化という社会的要請に応えるために、画像記録部とシートトレイとの間に余分なスペースができないように設計し、装置の高さを限りなくコンパクトにした場合は、仮に上記別の搬送路で記録用紙が詰まると、詰まった記録用紙を除去する作業が極めて困難になる。また、２つのトレイが上下二段に配置された構成では、上記別の搬送路が装置本体の上部側に配置される。そのため、上記別の搬送路を通った記録用紙は、湾曲状の搬送路の途中に送り出されることになり、湾曲状の搬送路に進入する際に記録用紙に大きな負荷がかかる。この場合、過大な負荷がかかって湾曲された記録用紙が元の状態に戻ろうとする復元力によって、上記別の搬送路を形成する下側ガイドが撓まされて、用紙詰まりや斜行などの搬送不良が生じるおそれがある。
【０００７】
そこで、本発明は上記問題に鑑みてなされたものであり、画像記録部とトレイとの間に設けられた搬送路でシート部材が詰まった場合でも、シート部材を容易に除去することが可能であり、且つ、２つのトレイが上下二段に配置された構成において、用紙が上記搬送路を通過するときの搬送不良を防止可能な手段を提供することにある。
【課題を解決するための手段】
【０００８】
(1)  本発明は、シート保持装置と、画像記録部と、背面カバーと、ガイド部材と、回動軸と、第１支持機構と、第２支持機構とを具備する画像記録装置として構成されている。シート保持装置は、装置本体の正面から該装置本体に対して挿抜可能に設けられている。このシート保持装置は、画像が記録されるシート部材を保持する第１トレイ及び第２トレイを有する。第２トレイは、第１トレイの上部で移動可能なように設けられている。画像記録部は、上記シート保持装置の上側に設けられている。背面カバーは、上記装置本体の背面に開閉可能に設けられている。背面カバーは、装置本体の背面に対して閉じられた状態で上記シート保持装置から上記画像記録部に至る湾曲状の湾曲搬送路を形成し、開けられた状態で上記湾曲搬送路を開放する。ガイド部材は、上記シート保持装置と上記画像記録部との間に設けられている。このガイド部材は、上記画像記録部を通過したシート部材を上記湾曲搬送路へ案内する第１ガイド板を有する。回動軸は、上記第１ガイド板の背面側の端部を回動自由端として上記第１ガイド板を回動自在に支持する。第１支持機構は、上記湾曲搬送路への案内が可能な第１回動姿勢となるように上記第１トレイの幅方向端部を支持点として上記第１ガイド板を支持する。第２支持機構は、上記第２トレイが上記湾曲搬送路に近接した第２位置にあるときに、上記第１回動姿勢となるように上記第１支持機構の支持点よりも内側にある上記第２トレイ上の支持点で上記第１ガイド板を支持する。
【０００９】
このように構成されているため、画像記録部とシート保持装置との間に、画像記録部を通過したシート部材を湾曲搬送路へ搬送するための搬送路（以下「反転搬送路」という。）がガイド部材によって形成される。装置本体からシート保持装置が抜き出されると、第１ガイド板が支持されなくなり、回動軸を中心にして第１ガイド板がその自重によって下方へ回動する。これにより、上記再搬送路の下流側（搬送方向の下流側）が開放される。このため、上記反転搬送路でシート部材が詰まった場合でも、背面カバーを開ければ、詰まったシート部材に容易にアクセスすることができるので、シート部材の除去作業が容易となる。また、第２トレイが第２位置に配置されているときは、第１支持機構によって第１ガイド板の幅方向両端部が支持され、第２支持機構によって第１ガイド板の両端部よりも内側が支持されている。そのため、反転搬送路から湾曲搬送路へ進入したシート部材が大きく撓まされて、その復元力が第１ガイド板に対して下向きにかかったとしても、第１ガイド板が下方へ撓まされることはない。これにより、第１ガイド板の撓みによる反転搬送路における搬送不良が防止される。なお、第１支持機構は、上記第２トレイが上記湾曲搬送路から離間した第１位置にあるときだけ、上記第１ガイド板を第１回動姿勢となるように支持してもよく、また、第２トレイの位置にかかわらず、シート保持装置が装着されているときは常に上記第１ガイド板を第１回動姿勢となるように支持してもよい。
【００１０】
(2)  上記第１支持機構の具体例としては、上記第１ガイド板の幅方向端部から下方へ突出された少なくとも一つの第１係合部と、上記第１トレイにおいて上記第１係合部に対応する位置に設けられ、上記第２トレイが上記第１位置にあるときに上記第１係合部と係合して上記第１ガイド板を下側から支持する第１支持部と、により構成された機構が考えられる。また、上記第２支持機構の具体例としては、上記第１ガイド板の幅方向端部よりも内側から下方へ突出された少なくとも一つの第２係合部と、上記第２トレイにおいて上記第２係合部に対応する位置に設けられ、上記第２トレイが上記第２位置にあるときに上記第２係合部と係合して上記第１ガイド板を下側から支持する第２支持部と、により構成された機構が考えられる。
【００１１】
(3)  上記第２トレイは、保持されたシート部材の端部に当接してシート部材を規定位置に位置決めするサイドガイドを有する。この場合、上記第２支持部は、上記サイドガイドに設けられていてもよい。
【発明の効果】
【００１２】
本発明によれば、画像記録部とシート保持装置との間に設けられた搬送路でシート部材が詰まった場合でも、シート部材を容易に除去することが可能となる。また、２つのトレイが上下二段に配置された構成において、用紙が上記搬送路を通過するときの搬送不良を防止することが可能となる。
【図面の簡単な説明】
【００１３】
【図１】図１は、本発明の画像記録装置の一実施形態である複合機１０の外観斜視図である。
【図２】図２は、プリンタ部１１の内部構成を模式的に示す縦断面図である。
【図３】図３は、給送部１５の構成を模式的に示す部分斜視図である。
【図４】図４は、給紙カセット７８のメイントレイ８０の構成を模式的に示す平面図である。
【図５】図５は、給紙カセット７８の構成を模式的に示す平面図である。
【図６】図６は、給紙カセット７８の構成を模式的に示す平面図である。
【図７】図７は、下側ガイド部材９０の構成を示す模式図である。
【図８】図８は、後方ガイド板９２の動作を説明するための模式断面図である。
【図９】図９は、後方ガイド板９２の支持状態を説明するための模式断面図である。
【図１０】図１０は、図９（Ｂ）における切断線Ｘ−Ｘの模式断面図である。
【発明を実施するための形態】
【００１４】
以下、適宜図面を参照して、本発明の好ましい実施形態について説明する。なお、以下に説明される実施形態は本発明の一例にすぎず、本発明の要旨を変更しない範囲で、本発明の実施形態を適宜変更できることは言うまでもない。
【００１５】
［複合機１０の概略構成］
図１は、本発明の画像記録装置の一実施形態である複合機１０の外観構成を示す模式斜視図である。なお、以下の説明においては、複合機１０が使用可能に設置された状態（図１に示される状態）を基準として上下方向７を定義し、開口１３が設けられている側を手前側（正面）として前後方向８を定義し、複合機１０を手前側（正面）から見て左右方向９を定義する。
【００１６】
図１に示されるように、複合機１０は、高さ（上下方向７の長さ）に対して横幅（左右方向９の長さ）及び奥行き（前後方向８の長さ）が大きい薄型の直方体形状に概ね形成されている。複合機１０は、主に、下部に設けられたインクジェット記録方式のプリンタ部１１と、上部に設けられたスキャナ部１２とを一体的に備えた多機能装置である。複合機１０は、ファクシミリ機能、プリント機能、スキャン機能、及び、コピー機能などの各種の機能を有している。プリント機能としては、記録用紙（本発明のシート部材の一例）の表面（第１面）及び裏面（第２面）の両面に画像を記録する両面画像記録機能を有している。なお、プリント機能以外の機能は任意であり、例えば、スキャン機能やコピー機能、ファクシミリ機能を有しないプリンタとして本発明の画像記録装置が実施されてもよい。
【００１７】
プリンタ部１１は、正面に開口１３が形成されたプリンタ筐体１４（本発明の装置本体の一例）を有する。プリンタ筐体１４の内部にプリンタ部１１の各構成要素が配置されている。開口１３からプリンタ筐体１４の内部側へ連続するように収容空間が区画されている。この収容空間に給紙カセット７８（本発明のシート保持装置の一例）が装着されている。給紙カセット７８は、開口１３からプリンタ筐体１４の内部に対して、前後方向８（水平方向）に挿抜可能に構成されている。給紙カセット７８は、各種サイズの記録用紙を保持可能なメイントレイ８０（本発明の第１トレイの一例）と、その上部で前後方向８へスライド可能なセカンドトレイ８１（本発明の第２トレイの一例）とを有する。なお、給紙カセット７８の構成については後段で詳述する。
【００１８】
［プリンタ部１１の構成］
以下、プリンタ部１１の構成について詳細に説明する。なお、スキャナ部１２の構成についての説明は省略する。図２は、プリンタ部１１の内部構成を模式的に示す縦断面図である。図３は、給送部１５の構成を模式的に示す部分斜視図である。図２及び図３では、前方部分の図示が省略されている。また、図３では、セカンドトレイ８１の図示が省略されている。
【００１９】
プリンタ部１１は、主として、給紙カセット７８と、給紙カセット７８から記録用紙をピックアップして給紙（給送）する給送部１５と、給送部１５によって給紙された記録用紙にインク滴を吐出して記録用紙に画像を形成するインクジェット記録方式の画像記録部２４（本発明の画像記録部の一例）と、経路切換部４１と、外部に排出された記録済みの記録用紙を保持する排紙トレイ７９と、プリンタ部１１が備える搬送ローラの回転動作等を制御する制御部とを備えている。これらの各構成要素がプリンタ筐体１４内に設けられている。なお、画像記録部２４は、インクジェット方式に限られず、電子写真方式、或いは感熱記録方式など、種々の記録方式のものが適用可能である。また、排紙トレイ７９は、給紙カセット７８と一体に構成されていてもよく、或いはプリンタ筐体１４のフレームなどに固定されたものであってもよい。
【００２０】
［用紙搬送路６５］
プリンタ部１１の内部には、給紙カセット７８の先端（後方側の端部）から上方手前側へ向かって延出され、画像記録部２４を経て排紙トレイ７９に至る用紙搬送路６５が形成されている。記録用紙が用紙搬送路６５を通ることにより、記録用紙が給紙カセット７８から排紙トレイ７９まで案内される。用紙搬送路６５は、給紙カセット７８の先端から画像記録部２４に至る間に形成された湾曲状の湾曲路６５Ａ（本発明の湾曲搬送路の一例）と、画像記録部２４から排紙トレイ７９に至る間に形成された排紙路６５Ｂとに区分される。
【００２１】
図２に示されるように、湾曲路６５Ａは、給紙カセット７８に設けられた分離傾斜板２２の上端付近から画像記録部２４まで延設された湾曲状の通路である。この湾曲路６５Ａは、プリンタ筐体１４の背面側に設けられた背面カバー１８（本発明の背面カバーの一例）と、この背面カバー１８から前方側へ所定間隔を隔てて互いに対向するように配置された内側ガイド部材１９とによって区画されている。背面カバー１８及び内側ガイド部材１９は、プリンタ部１１の内部側を中心とする円弧形状に概ね形成されている。
【００２２】
背面カバー１８は、湾曲路６５Ａの外側ガイド面を形成するとともに、プリンタ筐体１４の背面を形成している。この背面カバー１８は、プリンタ筐体１４の背面に対して開閉可能に設けられている。詳細には、背面カバー１８は、プリンタ筐体１４の下部に設けられた支軸２０を中心にして、プリンタ筐体１４の背面を覆う閉姿勢（図２において実線で示された姿勢）と、プリンタ筐体１４から離れて湾曲路６５Ａを開放する開姿勢（図２において波線で示された姿勢）との間で開閉可能に支持されている。背面カバー１８が上記閉姿勢のときに、その内側面によって湾曲路６５Ａの外側ガイド面が形成される。このような背面カバー１８が設けられているため、湾曲路６５Ａで記録用紙が詰まった場合でも、背面カバー１８を開くことによって、詰まった用紙を容易に除去できる。
【００２３】
排紙路６５Ｂは、画像記録部２４よりも前方側に設けられた上側排紙ガイド８２と下側排紙ガイド８３とによって区画されている。
【００２４】
下側排紙ガイド８３の前方側に分岐口３６が形成されている。両面画像記録の際には、排紙路６５Ｂを搬送される記録用紙は、分岐口３６の下流側でスイッチバックされ、後述する反転搬送路６７へ向けて搬送される。
【００２５】
［画像記録部２４］
画像記録部２４は、給紙カセット７８の上側に配置されている。画像記録部２４は、図２の紙面垂直方向（図１の左右方向９）に延出されたガイドレール（不図示）に沿って往復動するように構成されている。画像記録部２４の下方にプラテン４２が設けられている。プラテン４２は、画像記録部２４によって画像記録が行われる際に、記録用紙を水平に支持するものである。画像記録部２４は、主走査方向への往復移動過程において、図示しないインクカートリッジから供給されたインクをノズル３９から微小なインク滴としてプラテン４２上を搬送される記録用紙に吐出する。これにより、記録用紙に画像が記録される。
【００２６】
用紙搬送路６５には、記録用紙を挟持して搬送するための第１搬送ローラ６０及び第２搬送ローラ６２が設けられている。第１搬送ローラ６０と第２搬送ローラ６２の間に画像記録部２４が設けられている。第１搬送ローラ６０にピンチローラ６１が圧接されており、第２搬送ローラ６２に拍車６３が圧接されている。本実施形態では、第１搬送ローラ６０及び第２搬送ローラ６２は、搬送用モータ（不図示）から駆動伝達機構（不図示）を介して回転駆動力が伝達されて回転される。また、後述する第３搬送ローラ４５を正回転方向又は逆回転方向へ回転させる回転駆動力も上記搬送用モータから伝達される。なお、第１搬送ローラ６０及び第２搬送ローラ６２の駆動源と第３搬送ローラ４５の駆動源とが別々に設けられていてもよい。
【００２７】
［給送部１５］
給送部１５は、画像記録部２４と給紙カセット７８との間、更に詳細には、後述する下側ガイド部材９０（本発明のガイド部材の一例）と給紙カセット７８との間に設けられている。給送部１５は、給紙カセット７８に収容された記録用紙を湾曲路６５Ａへ向けて搬送するためのものであり、給紙ローラ２５と、アーム状の部材からなる給紙アーム２６と、駆動伝達機構２７とを備えている。
【００２８】
給紙ローラ２５は、給紙カセット７８に保持されて記録用紙を一枚ずつピックアップして湾曲路６５Ａへ給紙するものである。給紙ローラ２５は、記録用紙との接触摩擦を高めるために、シリコンやＮＢＲなどの弾性部材で構成されている。もちろん、樹脂製の給紙ローラ２５のローラ面に弾性部材がコーティングされていてもよい。この給紙ローラ２５は、給紙アーム２６の回動端（先端）に回転自在に軸支されている。給紙ローラ２５は、駆動源である給紙用モータ（不図示）の回転力が駆動伝達機構２７を介して伝達されることにより、回転駆動される。なお、駆動伝達機構２７は、給紙アーム２６に軸支されており、給紙アーム２６の延出方向に沿って概ね直線状に並ぶ複数のギヤで構成されている。
【００２９】
画像記録部２４と給紙カセット７８との間に基軸２８（本発明の回動軸の一例）が設けられている。基軸２８は、プリンタ筐体１４の左右方向へ延びる棒状部材であり、プリンタ筐体１４に設けられている。給紙アーム２６は、その基端部が基軸２８の中央で支持されており、基軸２８を回動中心として回動可能に構成されている。このため、給紙アーム２６は、給紙カセット７８に対して接離可能に上下動することができる。給紙アーム２６は、基軸２８の回動中心からプリンタ筐体１４の背面側へ斜め下方へ延出されており、その先端は、プリンタ筐体１４において給紙カセット７８が挿入される経路、つまり、給紙カセット７８の配置スペースに達している。また、給紙アーム２６は、自重により又はバネ等の弾性部材による弾性力により、図２の矢印２９の方向へ回動付勢されている。なお、基軸２８は、後述する後方ガイド板９２を回動自在に支持する回動軸としても兼用されている。
【００３０】
また、図３に示されるように、給紙アーム２６には、給紙アーム２６から右方向へ延出された左右方向９に長い回動プレート３０が一体に設けられている。回動プレート３０は、メイントレイ８０の右方向の外側まで延出されている。回動プレート３０は、給紙アーム２６と同様に、基軸２８を回動中心として回動可能に構成されている。回動プレート３０が回動すると、給紙アーム２６も同方向へ回動する。メイントレイ８０の側板５６の上端５６Ａには、Ｖ字状に凹欠されたガイド面５８が形成されている。このガイド面５８は、給紙アーム２６の回動プレート３０に対応する位置に設けられている。詳細には、ガイド面５８は、給紙カセット７８がプリンタ筐体１４に装着された状態で、回動プレート３０の下端３０ＡがＶ字状のガイド面５８の最下部に配置され得る位置に設けられている。当該位置において、給紙アーム２６は、給紙ローラ２５を底板５４に接触させるまで下側へ回動可能となる。本実施形態では、給紙カセット７８がプリンタ筐体１４に対して挿抜される過程において、回動プレート３０がガイド面５８によって案内されることにより、給紙アーム２６が回動される。これにより、給紙アーム２６とともに給紙ローラ２５が上下動する。上端５６Ａにおいてガイド面５８よりも後方側の部分が後述する第１支持部５６Ｃである。この第１支持部５６Ｃは、ガイド面５８より高い水平面をなしている。この第１支持部５６Ｃに回動プレート３０が支持されると、給紙アーム２６は、給紙ローラ２５を分離傾斜板２２よりも上側へ持ち上げるような回動位置に支持される。
【００３１】
このように給紙アーム２６及びその支持機構が構成されているため、給紙アーム２６は、給紙カセット７８に対して接離可能に上下動することができる。また、給紙カセット７８がプリンタ筐体１４に対して挿入されると、その挿入過程において給紙カセット７８の後端部（例えば、分離傾斜板２２）が回動プレート３０に当接して給紙アーム２６を上方へ回動させる。これにより、給紙ローラ２５は給紙アーム２６と共に上方へ持ち上げられる。そして、給紙カセット７８が給紙ローラ２５の下側に配置されると、回動プレート３０がカイド面５８に入り込み、給紙アーム２６が下方へ回動して、給紙ローラ２５は下降する。これにより、給紙ローラ２５は給紙カセット７８に保持された記録用紙の上面に圧接する。この場合、セカンドトレイ８１が前方側の第１位置（図２において実線で示された位置）に配置されているときは、メイントレイ８０で保持された記録用紙の上面に給紙ローラ２５が接触して、給紙アーム２６はメイントレイ８０の記録用紙を湾曲路６５Ａへ給紙可能な姿勢となる。なお、ガイド面５８と同様の役割を担うＶ字状に凹欠されたガイド面８４が、セカンドトレイ８１の右側側板８５（図６参照）に設けられている。そのため、セカンドトレイ８１が後方側の第２位置（図２において波線で示された位置）に配置されているときは、セカンドトレイ８１で保持された記録用紙の上面に給紙ローラ２５が接触して、給紙アーム２６はセカンドトレイ８１の記録用紙を湾曲路６５Ａへ給紙可能な姿勢となる。一方、給紙カセット７８がプリンタ筐体１４から抜き出されると、その脱抜過程において、給紙ローラ２５が分離傾斜板２２に衝突する前に、ガイド面５８によって給紙アーム２６ととに給紙ローラ２５が一旦持ち上げられる。そして、給紙ローラ２５が分離傾斜板２２を乗り越えた後に、給紙アーム２６の支持がなくなり、給紙アーム２６ととに給紙ローラ２５が給紙カセット７８から落ちるようにして下降する。
【００３２】
なお、プリンタ筐体１４のフレームには、給紙カセット７８がプリンタ筐体１４から抜き出されても、給紙ローラ２５がプリンタ筐体１４の底面に接触しないように、規制部材７１（図８（Ｄ）参照）が設けられている。この規制部材７１は、給紙カセット７８の未装着状態において、プリンタ筐体１４の底面から離間した所定位置よりも下方へ給紙ローラ２５が移動しないように、給紙アーム２６に当接して給紙アーム２６が下方へ回動しようとするのを規制している。
【００３３】
［給紙カセット７８］
図２に示されるように、給紙カセット７８は、給紙部１５の下側に設けられており、大別すると、メイントレイ８０と、セカンドトレイ８１とにより構成されている。
【００３４】
［メイントレイ８０］
図４は、メイントレイ８０の構成を模式的に示す平面図である。メイントレイ８０は、Ｌｅｔｔｅｒサイズ（２１６ｍｍ×２７４ｍｍ）、リーガルサイズ（２１６ｍｍ×３５６ｍｍ）、Ａ４サイズ（２１０ｍｍ×２９７ｍｍ）の記録用紙を収容可能である。本実施形態の複合機１０では、主として、Ａ４サイズ、Ｂ５サイズなどの記録用紙がメイントレイ８０に収容される。
【００３５】
メイントレイ８０は、記録用紙が載置される底板５４と、底板５４の左右方向９の両端部から上方へ立設され、前後方向８に沿って延びる側板５５，５６と、底板５４の後方側の端部に立設され、左右方向９に沿って延びる分離傾斜板２２とを備えている。メイントレイ８０は、上面が開放された概ね矩形箱状に構成されている。分離傾斜板２２は、記録用紙を円滑に給紙可能なように、後方側へ傾倒している。
【００３６】
図３に示されるように、メイントレイ８０の左右方向９の両端部それぞれには一対の第１支持部５５Ｃ，５６Ｃ（本発明の第１支持部の一例）が設けられている。第１支持部５６Ｃは、右側の側板５６の上端５６Ａにおいて、ガイド面５８よりも後方側の部分である。また、第１支持部５５Ｃは、左側の側板５５の上端５５Ａにおいて、第１支持部５６Ｃと対応する部分である。第１支持部５５Ｃは、側板５５と一体に構成されている。また、第１支持部５６Ｃは、側板５６と一体に構成されている。これらの２つの第１支持部５５Ｃ，５６Ｃは、後述する突起１０２（本発明の第１係合部の一例）と共に、本発明の第１支持機構を構成する。
【００３７】
図５に示されるように、側板５５には、その内面から側板５６側へ突出した板状の支持レール５５Ｂが設けられている。また、側板５６には、その内面から側板５５側へ突出した板状の支持レール５６Ｂが設けられている。これらの支持レール５５Ｂ，５６Ｂは、前後方向８に延びている。これらの支持レール５５Ｂ，５６Ｂに、後述するセカンドトレイ８１が前後方向８へスライド可能に支持されている。
【００３８】
メイントレイ８０の底板５４には、前後方向８に沿って延びる一対のサイドガイド７５が設けられている。メイントレイ８０には、サイドガイド７５を連動させる周知の機構が設けられている。したがって、例えば、一方のサイドガイド７５が左右方向９のいずれか一方（右向き）へスライドされると、他方のサイドガイド７５がこのスライド動作に連動して、逆向き（左向き）へスライドされる。このため、底板５４に載置された記録用紙の幅が一対のサイドガイド７５の離間距離よりも狭い場合は、サイドガイド７５を記録用紙の両端に向けてスライドさせて記録用紙の両端部に当接することで、記録用紙の幅方向（左右方向９）の中央位置をメイントレイ８０の幅方向の中央に略一致させることができる。このようなサイドガイド７５が設けられているため、メイントレイ８０の幅サイズよりも小さいサイズの記録用紙が載置されても、その記録用紙をメイントレイ８０の中央に位置決めすることができる。なお、サイドガイドは一つであってもよい。この場合、サイドガイドと側板５５，５６のいずれかとの間で記録用紙を位置決めすることができる。
【００３９】
また、底板５４には、前後方向８へスライド可能に支持されたリアガイド７７が設けられている。そのため、メイントレイ８０に載置された記録用紙の後端へ向けてリアガイド７７をスライドさせることで、記録用紙をメイントレイ８０の後方側へ詰め寄せることができる。
【００４０】
［セカンドトレイ８１］
図５及び図６は、給紙カセット７８の構成を模式的に示す平面図である。図５及び図６に示されるように、セカンドトレイ８１は、メイントレイ８０の上部に設けられている。セカンドトレイ８１は、左右方向９の寸法がメイントレイ８０の左右方向９の寸法よりも少し小さく設計されており、前後方向８の寸法がメイントレイ８０の前後方向の寸法よりもやや短い平板矩形状の部材である。セカンドトレイ８１の左右方向９の中央部に用紙保持部１３１が設けられている。この用紙保持部１３１に記録用紙が収容される。本実施形態では、用紙保持部１３１は、メイントレイ８０における用紙載置面よりも幅が小さく設計されており、最大で葉書サイズ（例えば、短辺９０〜１０７ｍｍ×長辺１４０〜１５４ｍ）の記録用紙が保持可能である。この用紙保持部１３１には、主として、葉書サイズ、写真Ｌ版サイズの記録用紙（葉書、光沢紙など）が収容される。
【００４１】
セカンドトレイ８１の用紙保持部１３１には、前後方向８に沿って延びる一対のサイドガイド１３２と、前後方向８へスライド可能に支持されたリアガイド１３３とが設けられている。サイドガイド１３２及びリアガイド１３３は、メイントレイ８０のサイドガイド７５及びリアガイド７７と概ね同様に形成されている。ただし、一対のサイドガイド１３２それぞれには、一対の第２支持部１３４（本発明の第２支持部の一例）が設けられている。この第２支持部１３４は、サイドガイド１３２と一体に構成されている。それぞれの第２支持部１３４は、サイドガイド１３２の上端からセカンドトレイ８１の幅方向中央側へ伸びる板部材である。これらの２つの第２支持部１３４は、後述する凸部１３６（本発明の第２係合部の一例）と共に、本発明の第２支持機構を構成する。なお、サイドガイドは一つであってもよい。この場合、セカンドトレイ８１の左右方向９の一方端に側板を設け、この側板とサイドガイドとの間で記録用紙を位置決めすることができる。
【００４２】
セカンドトレイ８１は、メイントレイ８０に設けられた上述の支持レール５５Ｂ，５６Ｂによって支持されている。詳細には、セカンドトレイ８１の左右方向９の両端部が支持レール５５Ｂ，５６Ｂの上面で支持されている。また、セカンドトレイ８１は、メイントレイ８０において前後方向８へスライドするように移動可能に支持されている。このセカンドトレイ８１は、その後方側の後端８１Ａが分離傾斜板２２の内面２２Ａに当接することによりセカンドトレイ８１が湾曲路６５Ａに近接する第２位置（本発明の第２位置に相当、図６に示される位置）と、後端８１Ａが分離傾斜板２２から所定距離だけ前方側へ離間した第１位置（本発明の第１位置に相当、図５に示される位置）との間でスライドする。
【００４３】
セカンドトレイ８１の支持機構としては、上述したように、前後方向８に延びる支持レール５５Ｂ，５６Ｂによるものに限られず、メイントレイ８０において前後方向８へ移動可能にセカンドトレイ８１を支持することが可能な機構であれば、如何なる支持機構でも適用可能である。
【００４４】
セカンドトレイ８１が上記第１位置に配置された状態では、メイントレイ８０の後方側の上面が開けられる。このとき、給紙ローラ２５がメイントレイ８０の後方側の上面の開口からメイントレイ８０側へ下降して、メイントレイ８０に保持された記録用紙に当接する。この状態で、給紙ローラ２５が回転されると、メイントレイ８０に保持された記録用紙が湾曲路６５Ａへ向けて給紙される。
【００４５】
一方、セカンドトレイ８１が上記第１位置から上記第２位置へスライドされると、そのスライド過程において、セカンドトレイ８１の後端８１Ａが回動プレート３０を上方へ押し上げる。これにより、給紙アーム２６が上方へ押し上げられて、給紙ローラ２５がセカンドトレイ８１上に配置される。給紙ローラ２５がセカンドトレイ８１上に配置されると、給紙ローラ２５はセカンドトレイ８１に保持された記録用紙の上面に当接する。この状態で、給紙ローラ２５が回転されると、セカンドトレイ８１に収容された記録用紙が湾曲路６５Ａへ向けて給紙される。
【００４６】
［経路切換部４１］
図２に示されるように、経路切換部４１は、用紙搬送路６５における分岐口３６付近に配置されている。経路切換部４１は、第３搬送ローラ４５と、拍車４６と、フラップ４９で構成されている。
【００４７】
第３搬送ローラ４５は、下側排紙ガイド８３よりも下流側に設けられている。第３搬送ローラ４５と下側排紙ガイド８３との間に分岐口３６が形成されている。第３搬送ローラ４５は、プリンタ筐体１４のフレームなどに回転可能に支持されている。拍車４６は、第３搬送ローラ４５の上方に配置されており、自重若しくはバネなどによって第３搬送ローラ４５のローラ面に圧接されている。拍車４６は、上側排紙ガイド８２の下流側端部に回転可能の支持されている。第３搬送ローラ４５は、搬送用モータから正逆回転方向の駆動力が伝達されて、正回転方向又は逆回転方向に回転駆動される。例えば、片面記録が行われる場合は、第３搬送ローラ４５は正回転方向へ回転される。これにより、記録用紙は第３搬送ローラ４５及び拍車４６に挟持されて前方の排紙トレイ７９へ排出される。一方、両面記録が行われる場合は、第３搬送ローラ４５及び拍車４６が記録用紙の後端部を挟持した状態で、第３搬送ローラ４５の回転方向が正回転方向から逆回転方向へ切り換えられる。
【００４８】
プリンタ筐体１４のフレームなどに、図２の紙面垂直方向（左右方向９）へ延びる支軸８７が設けられている。フラップ４９は、支軸８７から概ね下流側へ延出されている。フラップ４９は、支軸８７に回動可能に軸支されている。フラップ４９には、その延出方向に隔てられた拍車４７及び拍車４８が軸支されている。フラップ４９は、姿勢変化可能に構成されており、下側排紙ガイド８３よりも上方に位置する排出姿勢（図２において破線で示される姿勢）と、延出端部４９Ａが分岐口３６よりも下方へ進入する反転姿勢（図２において実線で示される姿勢）との間で回動する。このようなフラップ４９が設けられているため、記録用紙の後端がフラップ４９を通過してプラップ４９が反転姿勢となると、記録用紙の後端が分岐口３６の下方へ向けられる。そして、第３搬送ローラが逆回転すると、記録用紙が反転搬送路６７へ向けてスイッチバック搬送される。
【００４９】
［反転搬送路６７］
プリンタ部１１の内部には、反転搬送路６７が形成されている。反転搬送路６７は、排紙路６５Ｂの分岐口３６から分岐して、画像記録部２４と給紙部１５との間を通って後方へ延出され、湾曲路６５Ａの途中にある合流部３７に合流している。反転搬送路６７は、前方側の傾斜路６７Ａと、後方側の直線路６７Ｂとに区分される。経路切換部４１でスイッチバック搬送された記録用紙が反転搬送路６７を通ることにより、記録用紙が再び湾曲路６５Ａに戻される。この反転搬送路６７は、プリンタ筐体１４に固定された上側固定ガイド板４３と、後述する下側ガイド部材９０とによって形成されている。
【００５０】
［下側ガイド部材９０］
図２に示されるように、下側ガイド部材９０は、画像記録部２４と給紙カセット７８との間に設けられており、更に詳細には、給送部１５の上側に設けられている。下側ガイド部材９０は、基軸２８よりも前方側に配置された前方ガイド板９１と、基軸２８よりも後方側に配置された後方ガイド板９２（本発明の第１ガイド板の一例）とにより構成されている。
【００５１】
図７は、下側ガイド部材９０の構成を示す模式図であって、（Ａ）には下側ガイド部材９０の平面図が示されており、（Ｂ）には（Ａ）における切断線ＶＩＩＢ−ＶＩＩＢの断面図が示されている。なお、図７では、後方ガイド板９２が水平にされた状態が示されている。また、図７（Ｂ）では、給紙アーム２６の図示が省略されている。前方ガイド板９１及び後方ガイド板９２は、給紙カセット７８の幅と概ね同じ幅を有する平板状の部材からなる。
【００５２】
図７に示されるように、前方ガイド板９１は、分岐口３６から後方斜め下向きに傾斜する傾斜面を有する。上側固定ガイド４３の前方側は、記録用紙が通過可能な所定間隔を隔てて前方ガイド板９１に対向するように配置されている。前方ガイド板９１と上側固定ガイド４３の前方側とによって、反転搬送路６７の傾斜路６７Ａが区画されている。
【００５３】
後方ガイド板９２の前方端おける左右方向両端それぞれに軸受け９５が設けられている。この軸受け９５に設けられた軸孔（不図示）に基軸２８が挿通されている。これにより、後方ガイド板９２は、その後方端（背面側の端部）を回動自由端として基軸２８を中心に回動可能となる。つまり、後方ガイド板９２及び給紙アーム２６は、共通の回動軸である基軸２８によって回動自在に支持されている。本実施形態では、後述するように、後方ガイド板９２の下面が給紙ローラ２５から上方へ離間した位置（図８（Ａ）参照）と、後方ガイド板９２の下面が給紙ローラ２５のローラ面に当接する位置（図８（Ｂ）乃至（Ｃ）参照）とを通るように、後方ガイド板９２が回動可能となっている。なお、本発明は、後方ガイド板９２及び給紙アーム２６を基軸２８で軸支する構成に限られず、基軸２８とは異なる回動軸を設け、この回動軸で後方ガイド板９２を回転自在に支持する構成にも適用可能である。
【００５４】
後方ガイド板９２の下面には、左右方向９の両端部それぞれに設けられた一対の突起１０２（本発明の第１係合部の一例）と、左右方向９の中央部において左右方向９へ所定間隔を開けて隔てられた一対の凸部１３６（本発明の第２係合部の一例）とが設けられている。
【００５５】
突起１０２は、後方ガイド板９２の下面から下方へ突出している。突起１０２は、給紙カセット７８がプリンタ筐体１４に装着された状態で、上述した第１支持部５５Ｃ，５６Ｃと係合して下側から支持される。つまり、各突起１０２及び第１支持部５５Ｃ，５６Ｃは、互いに係合可能なようにそれぞれに対応する位置に設けられている。これにより、図２に示されるように、後方ガイド板９２が上記案内姿勢となるように、メイントレイ８０によって支持されて、基軸２８から合流部３７までに至る直線路６７Ｂが後方ガイド板９２によって形成される。つまり、給紙カセット７８がプリンタ筐体１４に装着された状態にあるときに、下側ガイド部材９０によって、記録用紙を湾曲路６５Ａへ案内可能な反転搬送路６７が形成される。このときの後方ガイド板９２の姿勢は、記録用紙を湾曲路６５Ａへ案内可能な姿勢であり、以下、案内姿勢と称する。なお、この案内姿勢が、本発明の第１回動姿勢に相当する。
【００５６】
凸部１３６は、後方ガイド板９２の下面から下方へ突出している。凸部１３６は、一対の突起１０２よりも左右方向９の中央側（内側）に設けられている。この凸部１３６は、給紙カセット７８がプリンタ筐体１４に装着された状態で、且つ、セカンドトレイ８１が上記第２位置（図６に示される位置）に配置された状態で、上述した第２支持部１３４と係合して下側から支持される。つまり、凸部１３６及び第２支持部１３４は、互いに係合可能なようにそれぞれに対応する位置に設けられている。これにより、図２において波線で示されるように、セカンドトレイ８１が第２位置にあるときは、後方ガイド板９２が上記案内姿勢となるように、メイントレイ８０だけでなく、セカンドトレイ８１によっても支持される。基軸２８から合流部３７までに至る直線路６７Ｂが後方ガイド板９２によって形成される。なお、図７に示されるように、凸部１３６は左右方向９にある程度の幅を有する。これは、セカンドトレイ８１上においてサイドガイド１３２が左右方向９へスライドされても、第２支持部１３４が凸部１３６を支持可能とするためである。そのため、凸部１３６の幅は、サイドガイド１３２のスライド幅に対応する寸法に設計される。
【００５７】
後方ガイド板９２の後端には、後方斜め上方へ向けて傾倒する傾斜部９７が形成されている。この傾斜部９７は、合流部３７において湾曲路６５Ａに接続している。このため、直線路６７Ｂから後方へ水平に搬送された記録用紙は、傾斜部９７によってその方向が上向きに変えられる。したがって、直線路６７Ｂから湾曲路６５Ａへ向かう記録用紙が円滑に搬送される。
【００５８】
また、後方ガイド板９２の下面には、クリーニングパッド７０が設けられている。クリーニングパッド７０は、後方ガイド板９２の下面において、給紙ローラ２５と当接する部分に設けられている。クリーニングパッド７０の具体例としては、フェルト部材、コルク部材、不織布、粘着性を有する樹脂部材などが考えられる。後方ガイド板９２と給紙ローラ２５とが接近して互いに当接することにより、クリーニングパッド７０が給紙ローラ２５のローラ面に接触して、給紙ローラ２５のローラ面の汚れが除去される。
【００５９】
［後方ガイド板９２の動作］
以下、図８を参照しながら、セカンドトレイ８１が第１位置（図５参照）にあるときの後方ガイド板９２の動作について説明する。図８は、後方ガイド板９２の動作を説明するための模式断面図である。図８（Ａ）には給紙カセット７８の装着状態が示されており、（Ｂ）には第１支持部５５Ｃ，５６Ｃによる支持が無くなり後方ガイド板９２が下降し始めた状態が示されており、（Ｃ）には給紙ローラ２５によって後方ガイド板９２が上方へ押し戻された状態が示されており、（Ｄ）には、給紙カセット７８が未装着のときの後方ガイド板９２及び給紙ローラ２５の姿勢が示されている。
【００６０】
本実施形態では、図８（Ａ）に示されるように、給紙カセット７８がプリンタ筐体１４に装着された状態にあるときに、後方ガイド板９２の各突起１０２がメイントレイ８０の第１支持部５５Ｃ，５６Ｃによって支持される。これにより、後方ガイド板９２が上記案内姿勢となり、後方ガイド板９２によって直線路６７Ｂが形成される。このとき、セカンドトレイ８１は第１位置（図５参照）に配置されているので、後方ガイド板９２の凸部１３６は支持されていない。この状態で、プリンタ部１１は、給紙カセット７８のメイントレイ８０から記録用紙を給紙可能となる。なお、上述したように、メイントレイ８０には、葉書などに比べて薄くて大きいＡ４サイズやＢ５サイズなどの記録用紙（一般に普通紙と呼ばれている用紙）が保持される。この記録用紙が反転搬送路６７を湾曲路６５Ａへ向けて搬送されたときに大きく撓まされても、記録用紙が元の状態に戻ろうとする復元力は小さい。したがって、その復元力によって記録用紙が後方ガイド板９２を下方へ押さえつける押圧力は小さい。したがって、この押圧力によって後方ガイド板９２が下方へ撓まされることはない。
【００６１】
この状態から給紙カセット７８が抜き出されると、各突起１０２が第１支持部５５Ｃ，５６Ｃによって支持されなくなり、後方ガイド板９２が下方へ回動する（図８（Ｂ）参照）。なお、図８（Ｂ）に示される状態では、給紙ローラ２５が上方へ持ち上げられようとしている。このとき、給紙ローラ２５のローラ面が分離傾斜板２２の上端よりも上方へ出ると、ローラ面がクリーニングパッド７０に接触する。これにより、ローラ面における接触部分の汚れがクリーニングパッド７０によって除去される。
【００６２】
そして、給紙カセット７８が更に抜き出されると、図８（Ｃ）に示されるように、給紙ローラ２５が更に持ち上げられる。これにより、いったん下方へ回動した後方ガイド板９２は、再び持ち上げられるようにして上方へ回動する。
【００６３】
更に給紙カセット７８が抜き出されて、図８（Ｄ）に示されるように、給紙カセット７８が後方ガイド板９２から離れると、給紙ローラ２５が移動し、これに追従するように後方ガイド板９２も下方へ回動する。
【００６４】
［後方ガイド板９２の支持状態］
以下、図９及び図１０を参照しながら、セカンドトレイ８１が第２位置（図６参照）にあるときの後方ガイド板９２の支持状態について説明する。図９は、後方ガイド板９２の支持状態を説明するための模式断面図である。図９（Ａ）にはセカンドトレイ８１が第１位置に配置された状態が示されており、（Ｂ）にはセカンドトレイ８１が第２位置に配置された状態が示されている。また、図１０は、図９（Ｂ）における切断線Ｘ−Ｘの模式断面図である。
【００６５】
本実施形態では、図９（Ａ）に示されるように、給紙カセット７８の装着状態において、セカンドトレイ８１が第１位置に配置されているときは、上述したように、後方ガイド板９２の凸部１３６は支持されておらず、突起１０２だけがメイントレイ８０の第１支持部５５Ｃ，５６Ｃによって支持されている。この状態から、セカンドトレイ８１が第１位置から第２位置へスライド移動されると、このスライド過程において、給紙アーム２６が上方へ押圧されて、給紙アーム２６と共に給紙ローラ２５がセカンドトレイ８１上に持ち上げられる。そして、セカンドトレイ８１が第２位置に到達すると、上記案内姿勢を維持したまま、後方ガイド板９２の凸部１３６がセカンドトレイ８１の第２支持部１３４によって支持される。このとき、後方ガイド板９２は、左右方向９に所定間隔を隔てた４つの支持点で支持されることになる（図１０参照）。上述したように、セカンドトレイ８１には、Ａ４サイズやＢ５サイズの普通紙に比べて厚くて小さい葉書や光沢紙が保持される。この記録用紙が反転搬送路６７を湾曲路６５Ａへ向けて搬送されたときに大きく撓まされると、記録用紙が元の状態に戻ろうとする復元力は上記普通紙に比べて大きい。したがって、その復元力によって記録用紙が後方ガイド板９２を下方へ押さえつける押圧力も大きくなる。複合機１０の高さ方向をコンパクトにするために、後方ガイド板９２の厚みを薄く設計すると、この押圧力によって後方ガイド板９２が下方へ撓まされるおそれがあるが、上述したように、セカンドトレイ８１から記録用紙を給紙する場合は、左右方向９に所定間隔を隔てた４つの支持点で後方ガイド板９２が支持されるため（図１０参照）、特に、上記押圧力が加えられる後方ガイド板９２の中央側の２つの支持点で支持されるため、後方ガイド板９２が下方へ撓まされることはない。
【００６６】
［実施形態の効果］
このように構成されているため、画像記録部２４と給紙カセット７８との間に、画像記録部２４を通過した記録用紙を湾曲路６５Ａへ搬送するための反転搬送路６７が下側ガイド部材９０によって形成される。プリンタ筐体１４から給紙カセット７８が抜き出されると、後方ガイド板９２が支持されなくなり、後方ガイド板９２が下方へ回動する。これにより、直線路６７Ｂが拡げられる。このため、反転搬送路６７で記録用紙が詰まった場合でも、背面カバー１８を開ければ、詰まった記録用紙に容易にアクセスすることができるので、記録用紙の除去作業が容易となる。
【００６７】
また、セカンドトレイ８１が第２位置（図６参照）に配置されているときは、後方ガイド板９２の両端部がメイントレイ８０の第１支持部５５Ｃ，５６Ｃによって支持され、後方ガイド板９２の中央部分がセカンドトレイ８１の第２支持部１３４によって支持される。そのため、反転搬送路６７から湾曲路６５Ａへ進入した記録用紙が大きく撓まされて、その復元力が後方ガイド板９２に対して下向きにかかったとしても、後方ガイド板９２が下方へ撓まされることはない。これにより、後方ガイド板９２の撓みに起因する反転搬送路における搬送不良や用紙詰まりが防止される。
【００６８】
なお、上述の実施形態では、後方ガイド板９２に突起１０２を設けることとしたが、後方ガイド板９２に突起１０２を設けずに、突起１０２と同様の突起を給紙カセット７８の側板５５，５６に設けた構成であっても、本発明は適用可能である。また、上述の実施形態では、セカンドトレイ８１が第２位置にあるときに、４つの支持点で後方ガイド板９２を支持することとしたが、後方ガイド板９２の左右方向９の両端部を浮かして、その中央部だけを凸部１３６及び第２支持部１３４で支持する２点支持構造であってもよい。
【００６９】
また、上述の実施形態では、第１支持部５５Ｃ，５６Ｃ、ガイド面５８及び回動プレート３０によって給紙アーム２６及び給紙ローラ２５を上下動させる機構としたが、本発明はこのような上下動機構を有するものに限定されない。給紙カセット７８の挿抜に連動して給紙アーム２６及び給紙ローラ２５が上下動する機構を有するものであれば、本発明は適用可能である。
【符号の説明】
【００７０】
１０・・・複合機
１１・・・プリンタ部
１４・・・プリンタ筐体
１５・・・給送部
１８・・・背面カバー
２４・・・画像記録部
２５・・・給紙ローラ
２６・・・給紙アーム
２８・・・基軸
５５Ｃ，５６Ｃ・・・第１支持部
６５・・・用紙搬送路
６５Ａ・・・湾曲路
６７・・・反転搬送路
７８・・・給紙カセット
８０・・・メイントレイ
８１・・・セカンドトレイ
９０・・・下側ガイド部材
９１・・・前方ガイド板
９２・・・後方ガイド板
１０２・・・突起
１３１・・・用紙保持部
１３２・・・サイドガイド
１３４・・・第２支持部
【図１】
2011157155.tif 000003
【図２】
2011157155.tif 000004
【図３】
2011157155.tif 000005
【図４】
2011157155.tif 000006
【図５】
2011157155.tif 000007
【図６】
2011157155.tif 000008
【図７】
2011157155.tif 000009
【図８】
2011157155.tif 000010
【図９】
2011157155.tif 000011
【図１０】
2011157155.tif 000012